(57)【要約】【課題】アンカーボルトを支持する支持フレームが梁筋工事の妨げにならず、しかも、基礎工事の状況に適した設置が可能なアンカーボルト固定装置を提供する。【解決手段】複数本のアンカーボルトが所定の配置間隔に配設されたアンカー構成体１０を設ける。捨てコンクリートＲの上に後打ちアンカーＳで固定せしめる固定枠３２を有する脚部構成体３０を設ける。アンカー構成体１０と脚部構成体３０との間に介される中間部構成体２０を設ける。この中間部構成体２０に、アンカーボルト１の下端部を所定の配置間隔に連結する上部枠２１を設ける。中間部構成体２０に、支持脚３１の上端部に着脱自在に連結する下部枠２２を設ける。上部枠２１と下部枠２２とを連結部材２３で連結する。捨てコンクリートＲの上に固定された脚部構成体３０に、中間部構成体２０を後付けできるように構成する。【選択図】  図１
0003172029.tif 000002
【実用新案登録請求の範囲】
【請求項１】
建築構造物のアンカーボルトの上端部に連結するテンプレートにて複数本のアンカーボルトが所定の配置間隔に配設されたアンカー構成体と、該アンカー構成体に配設されたアンカーボルトの四隅の位置のアンカーボルト下端部から下方に延長される位置に４本の支持脚を備え、各支持脚相互の下端部に固定されると共に、捨てコンクリートの上に後打ちアンカーで固定せしめる固定枠を有する脚部構成体と、アンカー構成体と脚部構成体との間に介される中間部構成体とからなるアンカーボルト固定装置であって、
中間部構成体は、アンカーボルトの下端部を所定の配置間隔に連結する上部枠と、支持脚の上端部に着脱自在に連結する下部枠とを連結部材で平行に連結した枠体状を成し、該上部枠の板面にアンカーボルトを所定の配置間隔に連結せしめるアンカー連結孔を開穿し、該下部枠の板面に支持脚を連結せしめるボルト連結孔を開穿し、これらアンカー連結孔及びボルト連結孔の開穿位置から外れた四隅に連結部材を固定して設けられ、捨てコンクリートの上に固定された脚部構成体に、中間部構成体を後付けできるように構成したことを特徴とするアンカーボルト用支持フレーム。
【請求項２】
前記中間部構成体において、前記上部枠と下部枠とは帯鋼板で矩形状に形成された請求項１記載のアンカーボルト用支持フレーム。
【請求項３】
前記脚部構成体において、前記固定枠の四隅における前記アンカーボルト設置位置の鉛直下方の位置に前記支持脚が立設され、該支持脚の上端に固着された連結用ボルトに前記中間部構成体の前記下部枠を高さ調整自在に連結するように構成した請求項１記載のアンカーボルト用支持フレーム。
【請求項４】
前記脚部構成体において、前記連結用ボルトは、前記アンカーボルトと同径のボルトで、且つ、アンカーボルトのピッチよりも大きなピッチのネジ山が形成され、該連結用ボルトに前記中間部構成体の下部枠を支持する高さ調整用ナットを装着した請求項３記載のアンカーボルト用支持フレーム。
【考案の詳細な説明】
【技術分野】
【０００１】
本考案は、建築構造物の基礎に固定するアンカーボルト用支持フレームに係り、基礎用配筋の設置作業を妨げずに、状況に適した設置が可能なアンカーボルト用支持フレームに関するものである。
【背景技術】
【０００２】
建築構造物のアンカーボルトを基礎に固定するには、予め、アンカーボルトを固定する位置に支持フレームを構築し、この支持フレームにアンカーボルトを固定する。次に、支持フレームの周囲に基礎を形成する主筋やフープを組み付けた後に、コンクリートを打設して支持フレームごとアンカーボルトを固定するものである。
【０００３】
特許文献１に記載の柱脚用アンカーボルトの据付け装置では、支持フレームを構成する縦材を、上部縦材と下部縦材とに２分割し、アンカーボルトを保持する上部縦材の下端部に上部ベースを配し、捨てコンクリートにアンカー止めする下部ベースを下部縦材の下端部に配している。そして、下部縦材に上部縦材を接合して据付け装置を構成するものである。
【０００４】
一方、特許文献２に記載のアンカーボルト固定装置は、当考案者が先に提案した支持フレームである。すなわち、添プレートの四隅に配されるアンカーボルト相互の間隔に合わせて長ナットを装着した連結枠体と、この連結枠体の長ナット上端部に連結してアンカーボルトに連結せしめる棒体状のアンカー保持部と、連結枠体の長ナット下端部に連結した調整用ボルトとを備えている。そして、捨てコンクリート上に設置した支持プレートの上面に調整用ボルトを回転自在に載置してアンカーボルトの高さを調整自在に構成し、調整後の調整用ボルトを支持プレート上に溶着するように設けたものである。
【先行技術文献】
【特許文献】
【０００５】
【特許文献１】特開２０００‐３１４１３９号公報
【特許文献２】特許第４３８９０９７号公報
【考案の概要】
【考案が解決しようとする課題】
【０００６】
特許文献１の据付け装置では、捨てコンクリートにアンカー止めする下部縦材に上部縦材を接合し、この上部縦材の側面に建築構造物のアンカーボルトを連結するものである。そのため、捨てコンクリート上では、アンカーボルトを設置する位置から外れた位置に下部縦材が設置されることになる。ところが、基礎を構築するには、基礎用の主筋等の他に、地中梁用の梁筋等を組み付ける作業がある。このため、アンカーボルトを設置する位置から外れた下部縦材が梁筋等に交錯するおそれがあり、この梁筋等に交錯しないように下部縦材を配設するには、配筋用の図面を製作し、設計監理会社と折衝して下部縦材の組み立てスペースを確保するなどといった多くの手間を要していた。
【０００７】
一方、当考案者が先に提案した特許文献２に記載の固定装置は、アンカーボルト相互の間隔に合わせて長ナットを装着した連結枠体と、連結枠体の長ナット下端部に連結した調整用ボルトを備え、この調整用ボルトを回転自在に載置してアンカーボルトの高さを調整自在に構成し、調整後の調整用ボルトを支持プレート上に溶着するように設けることで、連結枠体や調整用ボルトはアンカーボルトを設置する位置に沿って設置されている。そのため、梁筋等に交錯せずに、アンカーボルトの設置、調整作業を極めて容易に行うことができるようになった。
【０００８】
ところが、最近の基礎工事では、基礎部のネギリの幅を広く掘らず、基礎梁の幅程度に掘る傾向がある。このような基礎工事では、特許文献２の固定装置のように、調整後の調整用ボルトを支持プレート上に溶着する作業を要するものでは、支持プレートの設置工事や調整用ボルトの溶着作業が非常に窮屈になってしまう。
【０００９】
しかも、特許文献２の固定装置は、アンカーボルトを設置する位置に沿って連結枠体や調整用ボルトを設置するものなので、長ナットを介して上部のアンカーボルトと下部のアンカー保持部とを常に連結して使用する必要があった。そのため、固定装置の総重量が100ｋｇ以上になり、固定装置の設置に重機が不可欠になっていた。しかしながら、現場により重機の設置が困難な場所や、重機では届かない位置なども生じる。
【００１０】
さらに、基礎のコーナー部位に使用される梁筋は、水平な鉄筋の端部を垂直上方に屈曲した状態で配設される。ところが、特許文献２の固定装置を先に設置していると、この屈曲した梁筋を設置することができなくなる不都合もあった。
【００１１】
そこで、本考案は上述の課題を解消すべく創出されたもので、アンカーボルトを支持する支持フレームが梁筋工事の妨げにならず、しかも、基礎工事の状況に適した設置が可能なアンカーボルト用支持フレームの提供を目的とするものである。
【課題を解決するための手段】
【００１２】
上述の目的を達成すべく本考案における第１の手段は、建築構造物のアンカーボルト１の上端部に連結するテンプレートにて複数本のアンカーボルトが所定の配置間隔に配設されたアンカー構成体１０と、該アンカー構成体１０に配設されたアンカーボルト１の四隅の位置のアンカーボルト１下端部から下方に延長される位置に４本の支持脚３１を備え、各支持脚３１相互の下端部に固定されると共に、捨てコンクリートＲの上に後打ちアンカーＳで固定せしめる固定枠３２を有する脚部構成体３０と、アンカー構成体１０と脚部構成体３０との間に介される中間部構成体２０とからなるアンカーボルト固定装置であって、中間部構成体２０は、アンカーボルト１の下端部を所定の配置間隔に連結する上部枠２１と、支持脚３１の上端部に着脱自在に連結する下部枠２２とを連結部材２３で平行に連結した枠体状を成し、該上部枠２１の板面にアンカーボルト１を所定の配置間隔に連結せしめるアンカー連結孔２１Ａを開穿し、該下部枠２２の板面に支持脚３１を連結せしめるボルト連結孔２２Ａを開穿し、これらアンカー連結孔２１Ａ及びボルト連結孔２２Ａの開穿位置から外れた四隅に連結部材２３を固定して設けられ、捨てコンクリートＲの上に固定された脚部構成体３０に、中間部構成体２０を後付けできるように構成したことにある。
【００１３】
第２の手段は、前記中間部構成体２０において、前記上部枠２１と下部枠２２とは帯鋼板で矩形状に形成されたものである。
【００１４】
第３の手段は、前記脚部構成体３０において、前記固定枠３２の四隅における前記アンカーボルト１設置位置の鉛直下方の位置に前記支持脚３１が立設され、該支持脚３１の上端に固着された連結用ボルト３３に前記中間部構成体２０の前記下部枠２２を高さ調整自在に連結するように構成している。
【００１５】
第４の手段は、前記脚部構成体３０において、前記連結用ボルト３３は、前記アンカーボルト１と同径のボルトで、且つ、アンカーボルト１のピッチよりも大きなピッチのネジ山が形成され、該連結用ボルト３３に前記中間部構成体２０の下部枠２２を支持する高さ調整用ナットを装着している。
【考案の効果】
【００１６】
本考案の請求項１によると、脚部構成体３０は、アンカー構成体１０に配設されたアンカーボルト１の四隅の位置のアンカーボルト１下端部から下方に延長される位置に４本の支持脚３１を備えた構成を成しているので、アンカーボルトを支持する支持フレームが梁筋工事の妨げにならず、しかも、捨てコンクリートＲの上に固定された脚部構成体３０に、中間部構成体２０を後付けできるように構成したことで、基礎工事の状況に適した設置が可能なるものである。
【００１７】
また、中間部構成体２０は、アンカーボルト１の下端部を所定の配置間隔に連結する上部枠２１と、支持脚３１の上端部に着脱自在に連結する下部枠２２とを連結部材２３で平行に連結した枠体状を成しているから、中間部構成体２０の下部枠２２を脚部構成体３０の上部に連結する調整位置で、上部枠２１に連結したアンカーボルト１の位置も調整することができる。
【００１８】
しかも、上部枠２１の板面に前記アンカーボルト１を所定の配置間隔に連結せしめるアンカー連結孔２１Ａを開穿し、該下部枠２２の板面に前記支持脚３１を連結せしめるボルト連結孔２２Ａを開穿し、これらアンカー連結孔２１Ａ及びボルト連結孔２２Ａの開穿位置から外れた四隅に前記連結部材２３を固定したものであるから、アンカー構成体１０のアンカーボルト１を設置する位置に沿って脚部構成体３０の支持脚３１を連結することができるので、支持脚３１が地中梁等の梁筋を配設する際の妨げにならずに済む。
【００１９】
しかも、中間部構成体２０はアンカー構成体１０の上部に位置することになるので、中間部構成体２０自体も地中梁等の梁筋Ｐを配設する際の妨げにならずに済む。この結果、従来必要であった配筋の検討が一切不要になった。
【００２０】
請求項２のごとき中間部構成体２０によると、中間部構成体２０において、前記上部枠２１と下部枠２２とは帯鋼板で矩形状に形成されたものであるから、中間部構成体２０自体の構造を強化し、これに連結するアンカー構成体１０及び脚部構成体３０の連結強度を高めることができる。
【００２１】
請求項３のごとき脚部構成体３０によると、固定枠３２の四隅における前記アンカーボルト１設置位置の鉛直下方の位置に前記支持脚３１が立設されているので、支持脚３１が梁筋Ｐ等を配設する際の妨げにならずに済む。
【００２２】
しかも、支持脚３１の上端に固着された連結用ボルト３３に中間部構成体２０の下部枠２２を高さ調整自在に連結するように構成しているので、アンカーボルト１と同径の支持ボルトを捨てコンクリートＲまで延長した場合よりも軽量で扱い易くなり、しかも工事のコストを低減させることも可能になる。
【００２３】
請求項４のごとく、脚部構成体３０の連結用ボルト３３として、アンカーボルト１のピッチよりも大きなピッチのネジ山が形成され、該連結用ボルト３３に前記中間部構成体２０の下部枠２２を支持する高さ調整用ナットを装着したことで、この連結用ボルト３３に連結する中間部構成体２０の高さや水平位置の調整を、極めて効率良く行うことができる。
【図面の簡単な説明】
【００２４】
【図１】本考案の一実施例を示す使用状態の正面図である。
【図２】本考案の一実施例を示す分解斜視図である。
【図３】本考案の脚部構成体の位置実施例を示す斜視図である。
【図４】本考案の中間部構成体と脚部構成体との関係を示す斜視図である。
【図５】本考案の一実施例を示す斜視図である。
【図６】（イ）乃至（ニ）は、本考案の構築方法を示す工程図である。
【図７】本考案の他の構築方法を示す分解斜視図である。
【考案を実施するための形態】
【００２５】
本考案によると、アンカーボルトを支持する支持フレームが配筋工事の妨げにならず、しかも、基礎工事の状況に適した設置が可能なるなどといった当初の目的を達成した。
【実施例】
【００２６】
以下、本考案の実施例を説明する。本考案支持フレームの基本構成は、アンカー構成体１０、中間部構成体２０、脚部構成体３０にて構成される（図１参照）。
【００２７】
アンカー構成体１０は、建築構造物のアンカーボルト１の上端部に連結するテンプレート１１にて、複数本のアンカーボルトが所定の配置間隔に配設されたもので、このテンプレート１１に連結されたアンカーボルト１の下端部は、通常、次に説明する中間部構成体２０に予め連結しておく（図２参照）。
【００２８】
中間部構成体２０は、前記アンカー構成体１０と、後述する脚部構成体３０との間に介される構成体であり、上部枠２１、下部枠２２、連結部材２３にて構成されている（図３参照）。
【００２９】
上部枠２１は、アンカーボルト１の下端部を所定の配置間隔に連結する部材である（図２参照）。図示例の上部枠２１は、帯鋼板で矩形状に形成され、該上部枠２１の板面にアンカーボルト１の下端部を所定の配置間隔に連結せしめるアンカー連結孔２１Ａを開穿している（図３参照）。
【００３０】
下部枠２２は、後述する脚部構成体３０の支持脚３１の上端部に着脱自在に連結する部材である（図２参照）。図示例の下部枠２２は、帯鋼板で矩形状に形成され、該下部枠２２の板面に前記支持脚３１を連結せしめるボルト連結孔２２Ａを開穿している。
【００３１】
連結部材２３は、上部枠２１と下部枠２２とを連結する部材である（図３参照）。この連結部材２３は、上部枠２１に開穿したアンカー連結孔２１Ａや、下部枠２２に開穿したボルト連結孔２２Ａの開穿位置から外れた四隅の位置で、上部枠２１と下部枠２２とを連結するものである。図示の連結部材２３は断面略Ｌ字状の鋼材を使用し、上部枠２１と下部枠２２との四隅の内側角部に沿って溶接している。
【００３２】
脚部構成体３０は、捨てコンクリートＲの上に後打ちアンカーＳで固定せしめる構成体であり、この脚部構成体３０は、支持脚３１と固定枠３２とで構成されている（図４参照）。
【００３３】
支持脚３１は、前記アンカー構成体１０に配設されたアンカーボルト１の四隅の位置のアンカーボルト１下端部から下方に延長される位置に設けられるもので、図示例では断面Ｌ字状の鋼材で４本の支持脚３１を形成している。そして、固定枠３２の四隅上面に溶接している（図４参照）。
【００３４】
さらに、支持脚３１の上端に連結用ボルト３３を固着している。そして、この連結用ボルト３３に高さ調整用ナット３４を装着し、連結用ボルト３３に前記中間部構成体２０の下部枠２２を高さ調整自在に連結支持するものである（図５参照）。図示の連結用ボルト３３は、アンカーボルト１と同径のボルトで、且つ、アンカーボルト１のピッチよりも大きなピッチのネジ山が形成され、固定ナット３５で固定する（図４、５参照）。
【００３５】
固定枠３２は、各支持脚３１相互の下端部に固定されると共に、捨てコンクリートＲの上に後打ちアンカーＳで固定せしめる部材である。図示の固定枠３２は、帯鋼板で矩形状に形成され、該固定枠３２の板面に前記後打ちアンカーＳを挿入せしめるアンカー挿入孔３２Ａを開穿している（図４参照）。
【００３６】
本考案支持フレームでは、捨てコンクリートＲの上に固定された脚部構成体３０に、中間部構成体２０を後付けできるように構成している。この際、この中間部構成体２０にアンカー構成体１０を連結した状態で構築する方法（図６参照）と、中間部構成体２０にアンカー構成体１０を連結しない状態で構築する方法（図７参照）とを選択することができる。
【００３７】
すなわち、前記構成からなるアンカー構成体１０、中間部構成体２０、脚部構成体３０を使用する本考案支持フレームの構築方法の一つは、アンカー構成体１０に中間部構成体２０を連結した状態で構築する方法である（図６参照）。すなわち、捨てコンクリートＲ上に脚部構成体３０を設置する（同図（イ）参照）。次に、梁筋Ｐ等を配設した後（同図（ロ）参照）、アンカー構成体１０を中間部構成体２０ごと重機にて吊り上げて脚部構成体３０上に移動する（同図（ハ）参照）。そして、脚部構成体３０に、アンカー構成体１０と共に中間部構成体２０を連結する（同図（ニ）参照）。
【００３８】
また、前記構成からなるアンカー構成体１０、中間部構成体２０、脚部構成体３０を使用する本考案支持フレームの構築方法の他の一つは、アンカー構成体１０と中間部構成体２０とを予め連結しない状態で構築する方法である（図７参照）。すなわち、捨てコンクリートＲの上に固定された脚部構成体３０に中間部構成体２０のみを連結する。その後、中間部構成体２０にアンカーボルト１を個々に連結し、これらのアンカーボルト１にテンプレート１１を組み付ける。
【産業上の利用可能性】
【００３９】
本考案の実施例において、建築構造物の基礎に固定するアンカーボルトを支持するように説明しているが、アンカーボルトは図示例に限られるものではない。また、本考案のアンカー構成体１０や中間部構成体２０や脚部構成体３０の各構成や形状等は図示例に限られるものではなく、本考案の要旨を変更しない範囲での設計変更は任意に行えるものである。
【符号の説明】
【００４０】
Ｐ  梁筋
Ｑ  重機
Ｒ  捨てコンクリート
Ｓ  後打ちアンカー
１  アンカーボルト
１０  アンカー構成体
１１  テンプレート
１１Ａ  アンカー連結孔
２０  中間部構成体
２１  上部枠
２１Ａ  アンカー連結孔
２２  下部枠
２２Ａ  ボルト連結孔
２３  連結部材
３０  脚部構成体
３１  支持脚
３２  固定枠
３２Ａ  アンカー挿入孔
３３  連結用ボルト
３４  高さ調整用ナット
３５  固定ナット
【図１】
0003172029.tif 000003
【図２】
0003172029.tif 000004
【図３】
0003172029.tif 000005
【図４】
0003172029.tif 000006
【図５】
0003172029.tif 000007
【図６】
0003172029.tif 000008
【図７】
0003172029.tif 000009